(57)【要約】【課題】走査光の走査位置に関わりなくノイズ光を抑制することができ、小型で、ゴースト光の発生を安定して抑制することができる光走査装置、画像形成装置及びレーザ描画装置を得る。【解決手段】直線偏光よりなる光束を出力する光源ユニットと、光源ユニットからの光束を偏向する偏向器１４と、偏向器で偏向された光束を走査する毎に、（１）電界ベクトルが偏向面と平行な第一の偏光状態と、（２）電界ベクトルが偏向角に応じて変化する第二の偏光状態と、の間で切り換える液晶素子４１１，４１２よりなる偏光切り換え手段、および偏光状態に応じて光束の出射方向を切り換える偏光分離手段１６１，１６２を含み、偏向器１４で偏向された光束を対応する被走査面上に個別に集光する走査光学系と、を備えている。【選択図】図３
2010134358.tif 000002
【特許請求の範囲】
【請求項１】
光束により複数の被走査面を走査する光走査装置であって、
直線偏光よりなる光束を出力する光源ユニットと、
前記光源ユニットからの光束を偏向する偏向器と、
前記偏向器で偏向された光束を走査する毎に、（１）電界ベクトルが偏向面と平行な第一の偏光状態と、（２）電界ベクトルが偏向角に応じて変化する第二の偏光状態と、の間で切り換える液晶素子よりなる偏光切り換え手段、および前記偏光状態に応じて光束の出射方向を切り換える偏光分離手段を含み、前記偏向器で偏向された光束を対応する被走査面上に個別に集光する走査光学系と、を備えている光走査装置。
【請求項２】
前記液晶素子は、一対の透明基板と、各透明基板上に形成された透明電極と、これらの基板間に挟持されたネマティック液晶層と、液晶層の両側界面に設けられた配向膜と、を有し、
前記配向膜は、光束の偏向角に対応し、光束入射位置毎に異なる方向の配向処理がなされ、第一の偏光状態設定時には液晶飽和電圧以上の電圧を印加し、第二の偏光状態設定時には電圧を印加せずもしくは配向膜の配向方向に液晶が揃う範囲内の電圧を印加することを特徴とする請求項１記載の光走査装置。
【請求項３】
前記配向膜の配向処理方向は、無電界下で液晶分子が略配向膜面と平行となる方向であり、かつ、光束入射側の液晶層界面に設けられた配向膜は、偏向面と平行もしくは垂直な方向であり、光束出射側の液晶層界面に設けられた配向膜は、この配向膜の位置を出射し偏光分離手段に入射する光束が、偏光分離手段内で、偏光分離面法線との間で形成する入射面に平行な方向であることを特徴とする請求項２記載の光走査装置。
【請求項４】
前記配向膜の配向処理方向が、無電界下で液晶分子がベンド配向をなし、かつ、少なくとも片側の配向膜において、その配向膜の位置を出射し偏光分離手段に入射する光束が、偏光分離手段内で、偏光分離面法線との間で形成する入射面に平行な方向であることを特徴とする請求項２記載の光走査装置。
【請求項５】
配向膜への電圧印加タイミングが、走査位置により異なるように設定されていることを特徴とする請求項２記載の光走査装置。
【請求項６】
偏光分離手段が、誘電体多層膜偏向ビームスプリッタである請求項１乃至５のいずれかに記載の光走査装置。
【請求項７】
走査光学系は、偏向器から複数の被走査面までの各光路長を互いに等しくする少なくとも１つの折り返しミラーを含むことを特徴とする請求項１乃至６のいずれかに記載の光走査装置。
【請求項８】
液晶素子の片側基板が偏光分離手段によって構成されていることを特徴とする請求項１乃至７のいずれかに記載の光走査装置。
【請求項９】
像担持体を有し、この像担持体に対し電子写真プロセスを実行することによって画像を形成する画像形成装置において、上記電子写真プロセスのうち露光プロセスを実行する装置として請求項１乃至８のいずれかに記載の光走査装置を備えていることを特徴とする画像形成装置。
【請求項１０】
複数の像担持体を有し、光走査装置は上記複数の像担持体を画像情報が含まれる複数の光束により走査することができ、各像担持体に形成される画像を重ねることによってカラー画像を形成することができる請求項９記載の画像形成装置。
【請求項１１】
レーザ光により対象物を走査する光走査装置と、光走査装置を制御する描画制御装置とを備え、上記対象物に画像を描画するレーザ描画装置において、上記レーザ光束で走査する装置として請求項１乃至８のいずれかに記載の光走査装置を備えていることを特徴とする描画装置。
【発明の詳細な説明】
【技術分野】
【０００１】
本発明は、光走査装置、画像形成装置及びレーザ描画装置に係り、更に詳しくは、光束により被走査面を走査する光走査装置、及び該光走査装置を備える画像形成装置及びレーザ描画装置に関する。
【背景技術】
【０００２】
電子写真方式による画像記録では、レーザを用いた画像形成装置が広く用いられている。この場合、画像形成装置は光走査装置を備え、感光性を有するドラム（以下「感光体ドラム」という）の軸方向に光偏向器（例えば、ポリゴンミラー）を用いてレーザ光を走査しつつ、感光体ドラムを回転させ、感光体ドラム表面に潜像を形成する方法が一般的である。
【０００３】
近年、画像形成装置において、カラー化、高速化が進み、感光体ドラムを複数（通常は４つ）有するタンデム方式の画像形成装置が普及してきている。上記複数の感光体ドラムは、例えば、それぞれ４色（ブラック、シアン、マゼンタ、イエロー）に対応していて、各感光体ドラムは、光走査装置によって、それぞれの色に対応する画像信号で変調された光ビームで走査され、静電潜像が形成されるようになっている。これらの静電潜像はそれぞれに対応する色のトナーで現像され、各トナー画像が転写紙に重ねて転写されることにより、フルカラー画像を形成することができるようになっている。上記光走査装置の従来例として以下のようなものがある。
【０００４】
例えば、特許文献１には、互いに直角を成す方向に直線偏光され、記録すべき信号によって輝度変調されたレーザ光を放射する２つのレーザ光源と、これらレーザ光源から放射される２つのレーザ光を合成する偏光光合成手段と、この合成されたレーザ光を主走査方向に偏向する偏向手段と、この偏向手段により偏向された合成レーザ光を走査記録面で別々のスポットに分離する偏光光分離手段とを具える記録装置が開示されている。
【０００５】
また、特許文献２には、単一のレーザ光源と、この光源からのレーザ光の２つの偏光光にそれぞれ異なる情報を与える情報制御手段と、情報制御手段からの情報に基づいて偏光量を制御する偏光制御手段と、偏光制御された光を所定の照射面に走査照射するための走査手段と、走査された光を偏光状態に応じて２つの光に分光する分離手段と、走査手段からの光を分離手段に入射する入射角に応じてレーザ光を旋光制御する旋光制御手段とを有する光走査装置が開示されている。
【０００６】
また、特許文献３には、光源と、複数の偏向反射面を副走査方向に備えた光偏向器と、光源からの光束を複数の偏向反射面のそれぞれに入射する複数の光束に分割する光束分割用回折光学素子と、光偏向器により偏向される光束を被走査面上に集光する走査光学系とを備える光走査装置が開示されている。
【０００７】
【特許文献１】特開昭６０−３２０１９号公報
【特許文献２】特開平７−１４４４３４号公報
【特許文献３】２００７−２７９６７０号公報
【発明の開示】
【発明が解決しようとする課題】
【０００８】
しかしながら、特許文献１に開示されている記録装置では、偏光光分離手段を透過すべきＰ偏光の電界ベクトルが、偏光分離面の透過軸と平行にならない場合があり、この場合には、入射光の一部が偏光光分離手段で反射されてしまうという不都合があった。
【０００９】
特許文献２に開示されている光走査装置では、旋光制御手段として磁気光学素子を用いる場合には、高コスト化を招くという不都合があった。また、旋光制御に伴って消費電力が増加し、発熱を生じるという不都合があった。さらに、旋光角が温度等の環境が変化することで変化しやすく、性能を安定に管理するのが困難であった。
【００１０】
また、特許文献３に開示されている光走査装置では、多段の偏向反射面を有しているため、ポリゴンミラーなどの光変更器の薄型化が困難であるという不都合があった。
【００１１】
本発明は、かかる事情の下になされたもので、その第１の目的は、走査範囲全域においてＰ偏光からのノイズを等しく抑制することにより、走査光の走査位置に関わりなくノイズ光を抑制することができ、小型で、ゴースト光の発生を安定して抑制することができる光走査装置を提供することにある。
【００１２】
本発明の第２の目的は、本発明にかかる光走査装置を搭載することにより、コストを抑えながら、小型で、高品質の画像を形成することができる画像形成装置を提供することにある。
【００１３】
本発明の第３の目的は、本発明にかかる光走査装置を搭載することにより、コストを抑えながら、小型で、高品質の画像を描画することができるレーザ描画装置を提供することにある。
【課題を解決するための手段】
【００１４】
本発明に係る光走査装置は、直線偏光よりなる光束を出力する光源ユニットと、
前記光源ユニットからの光束を偏向する偏向器と、
前記偏向器で偏向された光束を走査する毎に、（１）電界ベクトルが偏向面と平行な第一の偏光状態と、（２）電界ベクトルが偏向角に応じて変化する第二の偏光状態と、の間で切り換える液晶素子よりなる偏光切り換え手段、および前記偏光状態に応じて光束の出射方向を切り換える偏光分離手段を含み、前記偏向器で偏向された光束を対応する被走査面上に個別に集光する走査光学系と、を備えていることを特徴としている。
【００１５】
本発明に係る画像形成装置は、複数の像担持体と、これら複数の像担持体を画像情報が含まれる光束により走査する少なくとも１つの光走査装置を備え、この光走査装置は本発明に係る光走査装置であることを特徴としている。
【００１６】
本発明に係るレーザ描画装置は、レーザ光により対象物を走査する光走査装置と、光走査装置を制御する描画制御装置とを備え、上記対象物に画像を描画するレーザ描画装置であって、上記光走査装置は本発明に係る光走査装置であることを特徴としている。
【発明の効果】
【００１７】
本発明に係る光走査装置によれば、小型であるにもかかわらず、走査光の走査位置に関わりなくノイズ光を抑制することができ、ゴースト光の発生を安定して抑制することができる。
【００１８】
本発明に係る画像形成装置によれば、本発明に係る光走査装置を備えているため、小型で低コストであるにも関わらず、結果として、高品質の画像を形成することができる。
【００１９】
本発明に係るレーザ描画装置によれば、本発明に係る光走査装置を備えているため、小型で低コストであるにも関わらず、結果として、高品質の画像を描画することができる。
【発明を実施するための最良の形態】
【００２０】
以下、本発明に係る光走査装置、画像形成装置及びレーザ描画装置の実施例について、図１〜図２５を参照しながら説明する。
【実施例１】
【００２１】
図１には、本発明の実施例に係る画像形成装置として、カラープリンタ２０００の概略構成が示されている。このカラープリンタ２０００は、４色（ブラック、シアン、マゼンタ、イエロー）の画像を重ね合わせてフルカラーの画像を形成するタンデム方式の多色カラープリンタであり、平行に配列された４つの感光体ドラム（２０３０ａ、２０３０ｂ、２０３０ｃ、２０３０ｄ）を備え、各感光体ドラムの周囲には、クリーニングユニット（２０３１ａ、２０３１ｂ、２０３１ｃ、２０３１ｄ）、帯電チャージャ（２０３２ａ、２０３２ｂ、２０３２ｃ、２０３２ｄ）、現像ローラ（２０３３ａ、２０３３ｂ、２０３３ｃ、２０３３ｄ）、トナーカートリッジ（２０３４ａ、２０３４ｂ、２０３４ｃ、２０３４ｄ）など、電子写真プロセスを実行するための各ユニットが配置されている。
【００２２】
４つの感光体ドラムの上方には光走査装置２０１０が配置され、各感光体ドラムをそれぞれの色に対応した画像信号で変調されたレーザ光で走査するようになっている。したがって、各感光体ドラムの表面は、レーザ光による被走査面となっている。光走査装置２０１０は、電子写真プロセスのうち露光プロセスを実行する装置である。各感光体ドラムの下方には、転写ベルト２０４０、定着ローラ２０５０、給紙トレイ２０６０、給紙コロ２０５４、レジストローラ対２０５６が配置されている。光走査装置２０１０の上方には、排紙ローラ２０５８、排紙トレイ２０７０が配置され、また、通信制御装置２０８０及び上記各部を統括的に制御するプリンタ制御装置２０９０などを備えている。
【００２３】
通信制御装置２０８０は、ネットワークなどを介した上位装置（例えばパソコン）との双方向の通信を制御する。
【００２４】
感光体ドラム２０３０ａ、帯電チャージャ２０３２ａ、現像ローラ２０３３ａ、トナーカートリッジ２０３４ａ、及びクリーニングユニット２０３１ａは、一つのユニットになっていて、ブラックの画像を形成する画像形成ステーション（以下では、便宜上「Ｋステーション」ともいう）を構成する。
【００２５】
感光体ドラム２０３０ｂ、帯電チャージャ２０３２ｂ、現像ローラ２０３３ｂ、トナーカートリッジ２０３４ｂ、及びクリーニングユニット２０３１ｂは、別のユニットになっていて、シアンの画像を形成する画像形成ステーション（以下では、便宜上「Ｃステーション」ともいう）を構成する。
【００２６】
感光体ドラム２０３０ｃ、帯電チャージャ２０３２ｃ、現像ローラ２０３３ｃ、トナーカートリッジ２０３４ｃ、及びクリーニングユニット２０３１ｃは、さらに別のユニットになっていて、マゼンタの画像を形成する画像形成ステーション（以下では、便宜上「Ｍステーション」ともいう）を構成する。
【００２７】
感光体ドラム２０３０ｄ、帯電チャージャ２０３２ｄ、現像ローラ２０３３ｄ、トナーカートリッジ２０３４ｄ、及びクリーニングユニット２０３１ｄは、さらに別のユニットになっていて、イエローの画像を形成する画像形成ステーション（以下では、便宜上「Ｙステーション」ともいう）を構成する。
【００２８】
各感光体ドラムはいずれも、その表面に感光層が形成されている。すなわち、各感光体ドラムの表面がそれぞれ被走査面であり、各感光体ドラムは像担持体としても機能する。なお、各感光体ドラムは、不図示の回転機構により、図１において紙面に平行な面内で矢印方向（時計方向）に回転するようになっている。また、本明細書では、ＸＹＺ３次元直交座標系において、各感光体ドラムの長手方向に沿った方向をＹ軸方向、４つの感光体ドラムの配列方向に沿った方向をＸ軸方向として説明する。
【００２９】
各帯電チャージャは、対応する感光体ドラムの表面をそれぞれ均一に帯電させる。光走査装置２０１０は、上位装置からの多色の画像情報（ブラック画像情報、シアン画像情報、マゼンタ画像情報、イエロー画像情報）に基づいて、色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。なお、この光走査装置２０１０の構成については後述する。
【００３０】
トナーカートリッジ２０３４ａにはブラックトナーが格納されており、このトナーは現像ローラ２０３３ａに供給される。トナーカートリッジ２０３４ｂにはシアントナーが格納されており、このトナーは現像ローラ２０３３ｂに供給される。トナーカートリッジ２０３４ｃにはマゼンタトナーが格納されており、このトナーは現像ローラ２０３３ｃに供給される。トナーカートリッジ２０３４ｄにはイエロートナーが格納されており、このトナーは現像ローラ２０３３ｄに供給される。
【００３１】
各現像ローラの表面には、各現像ローラの回転に伴って、対応するトナーカートリッジからのトナーが、薄く均一に塗布される。そして、各現像ローラの表面のトナーは、対応する感光体ドラムの表面に接すると、その表面において光が照射された部分にだけ移行し、そこに付着する。すなわち、各現像ローラは、対応する感光体ドラムの表面に形成された潜像にトナーを付着させて顕像化させる。ここでトナーが付着した像（以下、便宜上「トナー画像」という）は、感光体ドラムの回転に伴って転写ベルト２０４０の方向に移動する。
【００３２】
イエロー、マゼンタ、シアン、ブラックの各トナー画像は、所定のタイミングで転写ベルト２０４０上に順次転写され、重ね合わされてカラー画像が形成される。
【００３３】
給紙トレイ２０６０には記録紙が格納されている。この給紙トレイ２０６０の近傍には給紙コロ２０５４が配置されており、この給紙コロ２０５４は、記録紙を給紙トレイ２０６０から１枚ずつ取り出し、レジストローラ対２０５６に搬送する。レジストローラ対２０５６は、所定のタイミングで記録紙を転写ベルト２０４０に向けて送り出す。これにより、転写ベルト２０４０上のカラー画像が記録紙に転写される。画像が転写された記録紙は、定着ローラ２０５０に送られ、定着ローラ２０５０では、熱と圧力とが記録紙に加えられ、これによってトナーが記録紙上に定着される。トナー画像が定着された記録紙は、排紙ローラ２０５８を介して排紙トレイ２０７０に送られ、排紙トレイ２０７０上に順次スタックされる。
【００３４】
各クリーニングユニットは、対応する感光体ドラムの表面に残ったトナー（残留トナー）を除去する。残留トナーが除去された感光体ドラムの表面は、再度対応する帯電チャージャに対向する位置に戻る。
【００３５】
次に、前記光走査装置２０１０の構成について説明する。
この光走査装置２０１０は、一例として図２及び図３に示されるように、２つの光源ユニット（ＬＵ１、ＬＵ２）、２つのシリンドリカルレンズ（１２１、１２２）、ポリゴンミラー１４、２つのｆθレンズ（１５１、１５２）、２つの液晶素子（４１１、４１２）、２つの偏光ビームスプリッタ（１６１、１６２）、２つの反射ミラー（１７１、１７２）、複数の折り返しミラー（１８ａ、１８ｂ１、１８ｂ２、１８ｃ１、１８ｃ２、１８ｄ）、４つのアナモフィックレンズ（１９ａ、１９ｂ、１９ｃ、１９ｄ）及び不図示の走査制御装置を有している。なお、以下では、便宜上、主走査方向に対応する方向を「主走査対応方向」と略述し、副走査方向に対応する方向を「副走査対応方向」と略述する。
【００３６】
光源ユニットＬＵ１は、一例として図４に示されるように、レーザ光源１０１、コリメートレンズ１１１を有している。光源１０１からは、光偏向器としてのポリゴンミラー１４の偏向反射面で反射された後の電界ベクトルが偏向面と平行となる偏光（Ｓ偏光）が出力されるものとする。コリメートレンズ１１１は、光源１０１からの光束（ＬＢ１）の光路上に配置され、光源１０１からの光束を略平行光とする。
【００３７】
光源ユニットＬＵ２は、一例として図５に示されるように、レーザ光源１０２、コリメートレンズ１１２を有している。光源１０２からは光源１０１と同様にＳ偏光が出力されるものとする。コリメートレンズ１１２は、光源１０ｂからの光束（ＬＢ２）の光路上に配置され、光源１０２からの光束を略平行光とする。
【００３８】
図２に戻り、シリンドリカルレンズ１２１は、光源ユニットＬＵ１からの光束を、Ｚ軸方向に収束させ、ポリゴンミラー１４の偏向反射面近傍に主走査方向に長い線像を結像する。シリンドリカルレンズ１２２は、光源ユニットＬＵ２からの光束を、Ｚ軸方向に収束させ、ポリゴンミラー１４の偏向反射面近傍に主走査方向に長い線像を結像する。
【００３９】
ポリゴンミラー１４は、この実施例では側面の４面に鏡を有し、各鏡面がそれぞれ偏向反射面となっている。このポリゴンミラー１４は、Ｚ軸方向に平行な軸の周りに等速回転し、各シリンドリカルレンズからの光束をＸ軸とＹ軸を含む平面に平行な面内で等角速度的に偏向する。図２に示す配置例では、シリンドリカルレンズ１２１からの光束はポリゴンミラー１４の−Ｘ側に偏向され、シリンドリカルレンズ１２２からの光束はポリゴンミラー１４の＋Ｘ側に偏向される。なお、ポリゴンミラー１４の偏向反射面で偏向された光束が経時的に形成する光線束面は、「偏向面」と呼ばれている（特開平１１−２０２２５２参照）。
【００４０】
ｆθレンズ１５１は、ポリゴンミラー１４の−Ｘ側にあって、ポリゴンミラー１４で偏向されたシリンドリカルレンズ１２１からの光束の光路上に配置されている。
【００４１】
図３において、ｆθレンズ１５１の−Ｘ側には液晶素子４１１が配置されている。液晶素子４１１は、ｆθレンズ１５１を介した光束（ここでは、光束ＬＢ１）の光路上に配置され、液晶素子４１１には、図６に示すように光束ＬＢ１のＳ偏光が入射するようになっている。液晶素子４１１は、時間軸において、電界ベクトルが偏向面と平行な第一の偏光状態（ＬＢｂ：Ｓ偏光）と、電界ベクトルが偏向角に応じて変化する第二の偏光状態（ＬＢａ：Ｐ偏光）との間で電界ベクトルの方向を切り換えるように構成されている。ここで述べる第一の偏光状態は、入射するＳ偏光をそのままの状態で出射するため、液晶素子４１１は積極的に偏光状態を制御することはない。第二の偏光状態におけるＰ偏光は、電界ベクトルが、偏光ビームスプリッタ１６１の偏光分離面の法線と入射光のつくる平面と平行な方向の直線偏光を指す。偏光ビームスプリッタ１６１への入射角に応じて、電界ベクトル面がＸ軸とＺ軸を含む面内から傾斜することに注意を要する。
【００４２】
図３において、液晶素子４１１の−Ｘ側には偏光ビームスプリッタ１６１が、液晶素子４１１を介した光束の光路上に配置されている。この偏光ビームスプリッタ１６１は、前述のＰ偏光を透過させ、Ｓ偏光を−Ｚ方向に反射する偏光分離面を有している。この実施例では、図６に示されているように、液晶素子４１１を介してＰ偏光として出射される光束ＬＢａは偏光ビームスプリッタ１６１を透過し、Ｓ偏光として出射される光束ＬＢｂは偏光ビームスプリッタ１６１で−Ｚ方向に反射される。
【００４３】
図３において、偏光ビームスプリッタ１６１を透過した光束（ここでは、光束ＬＢａ）は、折り返しミラー１８ａとアナモフィックレンズ１９ａを介して感光体ドラム２０３０ａの表面に照射され、光スポットが形成される。この光スポットは、ポリゴンミラー１４の回転に伴って感光体ドラム２０３０ａの長手方向に移動する。すなわち、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００４４】
このように、ｆθレンズ１５１と液晶素子４１１と偏光ビームスプリッタ１６１と折り返しミラー１８ａとアナモフィックレンズ１９ａは、「Ｋステーション」すなわちブラックの画像を形成するためのステーションに対応する走査光学系である。
【００４５】
一方、偏光ビームスプリッタ１６１で−Ｚ方向に反射された光束（ここでは、光束ＬＢｂ）は、反射ミラー１７１で−Ｘ方向に反射された後、折り返しミラー１８ｂ１と折り返しミラー１８ｂ２とアナモフィックレンズ１９ｂを介して感光体ドラム２０３０ｂの表面に照射され、光スポットが形成される。この光スポットは、ポリゴンミラー１４の回転に伴って感光体ドラム２０３０ｂの長手方向に移動する。すなわち、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００４６】
ｆθレンズ１５１と液晶素子４１１と偏光ビームスプリッタ１６１と反射ミラー１７１と折り返しミラー１８ｂ１と折り返しミラー１８ｂ２とアナモフィックレンズ１９ｂは、「Ｃステーション」すなわちシアンの画像を形成するためのステーションに対応する走査光学系である。
このように、ｆθレンズ１５１と液晶素子４１１と偏光ビームスプリッタ１６１は、２つの画像形成ステーションで共有されている。
【００４７】
図２に戻り、ｆθレンズ１５２は、ポリゴンミラー１４の＋Ｘ側において、ポリゴンミラー１４で偏向されたシリンドリカルレンズ１２２からの光束の光路上に配置されている。ｆθレンズ１５２のＸ側には液晶素子４１２が、ｆθレンズ１５２を介した光束（ここでは、光束ＬＢ２）の光路上に配置されている。液晶素子４１２には、図７に示されるとおり光束ＬＢ２のＳ偏光が入射する。液晶素子４１２は、時間軸において、電界ベクトルが偏向面と平行な第一の偏光状態（ＬＢｄ：Ｓ偏光）と、電界ベクトルが偏向角に応じて変化する第二の偏光状態（ＬＢｃ：Ｐ偏光）との間で電界ベクトルの方向を切り換えるように構成されている。ここでＬＢｃのＰ偏光は、ＬＢａの場合と同様に偏光ビームスプリッタ１６２への入射角に応じて電界ベクトル面がＸ軸とＺ軸を含む面内から傾斜することに注意を要する。
【００４８】
液晶素子４１２のＸ側には、液晶素子４１２を介した光束の光路上に偏光ビームスプリッタ１６２が配置されている。この偏光ビームスプリッタ１６２は、Ｐ偏光を透過させ、Ｓ偏光を−Ｚ方向に反射する偏光分離面を有している。ここでは、図７に示されるように、液晶素子４１２を介してＰ偏光として出射される光束ＬＢｃが偏光ビームスプリッタ１６２を透過し、Ｓ偏光として出射される光束ＬＢｄは偏光ビームスプリッタ１６２で−Ｚ方向に反射される。
【００４９】
図３に戻り、偏光ビームスプリッタ１６２で−Ｚ方向に反射された光束（ここでは、光束ＬＢｃ）は、反射ミラー１７２で＋Ｘ方向に反射された後、折り返しミラー１８ｃ１と折り返しミラー１８ｃ２とアナモフィックレンズ１９ｃを介して感光体ドラム２０３０ｃの表面に照射され、光スポットが形成される。この光スポットは、ポリゴンミラー１４の回転に伴って感光体ドラム２０３０ｃの長手方向に移動する。すなわち、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００５０】
このように、ｆθレンズ１５２と液晶素子４１２と偏光ビームスプリッタ１６２と反射ミラー１７２と折り返しミラー１８ｃ１と折り返しミラー１８ｃ２とアナモフィックレンズ１９ｃは、「Ｍステーション」すなわちマゼンタの画像を形成するためのステーションに対応する走査光学系の走査光学系である。
【００５１】
一方、偏光ビームスプリッタ１６２を透過した光束（ここでは、光束ＬＢｄ）は、折り返しミラー１８ｄとアナモフィックレンズ１９ｄを介して感光体ドラム２０３０ｄの表面に照射され、光スポットが形成される。この光スポットは、ポリゴンミラー１４の回転に伴って感光体ドラム２０３０ｄの長手方向に移動する。すなわち、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００５２】
ｆθレンズ１５２と液晶素子４１２と偏光ビームスプリッタ１６２と折り返しミラー１８ｄとアナモフィックレンズ１９ｄは、「Ｙステーション」すなわちイエローの画像を形成するためのステーションに対応する走査光学系の走査光学系である。
このように、ｆθレンズ１５２と液晶素子４１２と偏光ビームスプリッタ１６２は、２つの画像形成ステーションで共有されている。また、各折り返しミラーは、各画像形成ステーションでの光路長が互いに等しくなるように設けられている。
【００５３】
本実施例では、ｆθレンズ１５１，１５２が、ポリゴンミラー１４と液晶素子の間に設けられている。そして、Ｐ偏光の光路とＳ偏光の光路は、Ｚ軸方向に関してほぼ重なっているため、上記ｆθレンズを薄くすることができる。
ところで、図８には、偏光ビームスプリッタ及びこの偏光ビームスプリッタに入射する光束が示されている。光束ＬＢ（Ｌ）及び光束ＬＢ（Ｒ）は、感光体ドラムにおける有効走査領域の端部に向かう光束であり、光束ＬＢ（Ｃ）は、感光体ドラムにおける有効走査領域の中央部に向かう光束である。
【００５４】
表１には、市販の偏光ビームスプリッタ（メレスグリオ社製、広帯域偏光キューブビームスプリッタ）に対して、Ｐ偏光とＳ偏光を、それぞれ偏向角を変えて入射させたときのノイズ光を測定した結果を示す。ノイズ光の定義は、Ｐ偏光の入射については、偏光ビームスプリッタからの反射光の入射光に対する強度比、Ｓ偏光入射については、偏光ビームスプリッタからの透過光の入射光に対する強度比としている。ノイズ光強度は、偏光ビームスプリッタの偏光分離面の膜設計により異なるが、一般的には表１の通り、ｓ偏光入射時に比較してｐ偏光入射時に、特に高偏向角側で顕著である。
2010134358.tif 000003
【００５５】
図９には、偏光分離面が偏向面に対して４５°傾斜している偏光ビームスプリッタにおいて（図８参照）、偏向角に対して入射面（偏光分離面と入射光線の形成する面）とＰ偏光の電界ベクトルのなす角（偏光回転角）の関係がグラフで示されている。偏向角０°においては、電界ベクトルは入射面内にあるため偏光回転角は０°であり、偏向角３５°では偏光回転角２０．７°である。すなわち、偏向角が０°の光束（図８の光束ＬＢ（Ｃ）に相当）では偏光分離による反射成分は発生しないが、図８における光束ＬＢ（Ｌ）やＬＢ（Ｒ）のように像高の高い位置に入射する光束では、偏光回転により、一部が反射される。これがノイズ光の一因である。これを回避するためには、偏光ビームスプリッタに入射する偏光をあらかじめ逆側に回転させておけばよい。この偏光回転量は、例えば偏向角３５°の場合は上述の２０．７°となることが容易に予測される。
【００５６】
図１０はこれを検証した結果を示すグラフである。偏向角３５°時に偏光方向を回転させた場合、２０．７°で最も反射率が低下するのが、計算上も、実測した結果からも確認された。そこで、Ｓ偏光をそのまま透過させ、Ｐ偏光に対しては上記偏光回転角を補償して、偏光を逆方向に回転させる偏光切り換え手段を用意すればよい。
【００５７】
図１３には、本実施形態に用いられる偏光切り換え手段としての液晶素子４１（液晶素子４１１および４１２共通）の構成と入射する光束が示されている。液晶素子４１は、一対の透明基板４１０１ａ、４１０１ｂと、各透明基板上に形成された透明電極４１０２ａ、４１０２ｂと、基板間に挟持されたネマティック液晶層４１０４と、液晶層の両側界面に設けられた配向膜４１０３ａ、４１０３ｂと、から構成されている。
上記液晶素子は、入射光束を、ポリゴンミラー１４の回転に伴う各回の走査毎に、（１）電界ベクトルが偏向面と平行な第一の偏光状態と、（２）電界ベクトルが偏向角に応じて変化する第二の偏光状態と、の間で切り換える。この切り換えは、ポリゴンミラー１４の回転に同期して、ドライバ４１０５により駆動電圧を制御制御することによって行われる。
【００５８】
図１４は、配向膜に施される配向処理（ラビング）の方向を示す。光束入射側の配向膜４１０３ａの配向処理は、図中Ｙ方向すなわち偏向面と平行に設定されている。光束出射側の配向膜４１０３ｂは、光束が配向膜面の法線方向と平行な位置付近（図中Ｃと記載）では、Ｚ方向すなわち偏向面と垂直方向にラビング処理がなされる。この位置から＋Ｙ側（図中Ｒと記載）に位置が離れるにつれ、＋Ｚ方向から時計方向にラビング方向が回転し、−Ｙ側（図中Ｌと記載）に位置が離れるにつれ、＋Ｚ方向から反時計方向にラビング方向が回転する。この回転方向は、配向膜の当該位置を出射し偏光ビームスプリッタ１６２に入射する光束が、偏光ビームスプリッタ１６２内で、偏光分離面法線との間で形成する入射面に平行な方向である。
【００５９】
図１５は、配向膜４１０３ａおよび４１０３ｂに挟まれる液晶分子４１０４の分子方向を模式的に表した図であり、電圧を印加していない状態を示している。図１５の（Ｌ）、（Ｃ）、（Ｒ）は、配向膜の構成を概略的に示す上記図１５中のＬ、Ｃ、Ｒに相当する位置を示している。横方向の点線は液晶層の厚さ方向（Ｘ方向）の目安位置を示す線である。液晶分子４１０４は、配向膜４１０３ａ、４１０３ｂの間でツイストしているが、そのツイスト角は（Ｌ）、（Ｃ）、（Ｒ）の各場所により異なっている。ツイスト角は、図１４に示すラビング方向の変化により、場所によって連続的に変化させることができる。
【００６０】
この液晶分子のツイスト構造により、液晶に電圧を印加しない状態では入射光束は所定の旋光をうけ出射する。これが前記（２）「電界ベクトルが偏向角に応じて変化する第二の偏光状態」である。図１７は、偏向角に対して設定すべき電界ベクトル方向を計算した例を示すグラフである。電界ベクトル方向はＺ軸方向からの回転角で示している。なおここで示す液晶分子は配向膜面に平行な状態であるが、若干のプレチルトを設けることは光学機能上問題なく、電界印加時の動作性により適宜設定すべきである。
【００６１】
図１６は、液晶に電圧を印加した状態の液晶分子方向を模式的に示した図である。すべての場所で、液晶分子は分子長軸方向を電界方向に向ける。この状態においては、入射光束は旋光を受けることなく透過する。これが、前記（１）「電界ベクトルが偏向面と平行な第一の偏光状態」である。
【００６２】
このように、液晶素子に印加する電圧を制御することで、図１５に示す状態と図１６に示す状態との間で液晶分子方向を切り換えることができ、偏光方向も、（１）電界ベクトルが偏向面と平行な第一の偏光状態と、（２）電界ベクトルが偏向角に応じて変化する第二の偏光状態と、の間で切り換えることができる。
【００６３】
図１８は液晶素子の透明電極構造を示し、図１９はこれら電極のオン、オフ動作のタイミングを示す。図１８に示す透明電極４１０２ａは常時接地されており、透明電極４１０２ｂが走査に同期して電圧制御される。
【００６４】
偏向分離手段としての前記偏光ビームスプリッタは、例えば、誘電体多層膜やワイヤグリッド等で構成することができるが、作製工程が大面積化に有利なことから誘電体多層膜で構成することがより好ましい。
偏光ビームスプリッタを上記のような構成にすることによって、従来、誘電体多層膜による光走査装置で課題となっていたノイズ光を効率的に除去することができる。
偏光分離面を支持する基体はガラス又は透明樹脂で構成することができる。なお、偏光分離面を両側から基体で挟む構造にすることにより、偏光分離面を汚れや傷から保護することができる。
【００６５】
前記走査制御装置は、各光源に対応した光源制御回路を有している。そして、図４に示す光源１０１に対応した光源制御回路は、光源ユニットＬＵ１の回路基板上に実装されている。また、図５に示す光源１０２に対応した光源制御回路は、光源ユニットＬＵ２の回路基板上に実装されている。
【００６６】
以上の説明から明らかなように、本実施例に係る光走査装置２０１０では、偏光ビームスプリッタによって偏光分離素子が構成されている。また、ｆθレンズ（１５１、１５２）と液晶素子（４１１、４１２）と偏光ビームスプリッタ（１６１、１６２）と反射ミラー（１７１、１７２）と折り返しミラー（１８ａ、１８ｂ１、１８ｂ２、１８ｃ１、１８ｃ２、１８ｄ）とアナモフィックレンズ（１９ａ、１９ｂ、１９ｃ、１９ｄ）とによって走査光学系が構成されている。
【００６７】
以上説明したように、本実施形態に係る光走査装置２０１０は、Ｓ偏光の光束を出力する光源ユニットと、光源ユニットからの各光束を偏向面内で等角速度的に偏向するポリゴンミラー１４と、ポリゴンミラー１４で偏向された光束を、各回の走査毎に、（１）電界ベクトルが偏向面と平行な第一の偏光状態と、（２）電界ベクトルが偏向角に応じて変化する第二の偏光状態と、の間で切り換える液晶素子と、偏光ビームスプリッタを含み、ポリゴンミラー１４で偏向された各光束を対応する感光体ドラムの表面に個別に集光する走査光学系とを備えている。このように構成された本実施例によれば、高コストになることを回避しながら、ゴースト光の発生を安定的に抑制することが可能な光走査装置を得ることができる。
【００６８】
また、ｆθレンズと偏光ビームスプリッタは、２つの画像形成ステーションで共有されているため、タンデム方式の画像形成装置に対応した光走査装置として小型化を図ることができる。
【００６９】
本実施例に係る画像形成装置としてのカラープリンタ２０００によると、光走査装置として、高コストになることを回避しながら、ゴースト光の発生を安定的に抑制することが可能な上記実施例にかかる光走査装置２０１０を備えているため、高コストになることを回避しながら、小型で、高品質の画像を形成することが可能な画像形成装置を得ることができる。
【００７０】
なお、上記実施形態において、偏光切り換え手段としての液晶素子の一例として、前記配向膜の配向処理方向が、無電界下で液晶分子がベンド配向をなし、かつ、少なくとも片側の配向膜において、配向膜の位置を出射し偏光分離手段に入射する光束が、偏光分離手段内で、偏光分離面の法線との間で形成する入射面に平行な方向である液晶素子を用いることができる。この液晶素子の全体構成は図１３の構成と等価であるためここでは省略する。
【００７１】
図２３は、配向膜に施される配向処理（ラビング）を説明する図である。図２３において、光束入射側の配向膜４１０３ａ’、光束出射側の配向膜４１０３ｂ’ともに、図１４に示す配向膜４１０３ｂと同様に、光束が配向膜面の法線方向と平行な位置付近（図中Ｃと記載）では、Ｚ方向すなわち偏向面と垂直方向にラビング処理がなされ、この位置から＋Ｙ側（図中Ｒと記載）に位置が離れるにつれ、＋Ｚ方向から時計方向にラビング方向が回転し、−Ｙ側（図中Ｌと記載）に位置が離れるにつれ、＋Ｚ方向から反時計方向にラビング方向が回転する。この回転方向は、それぞれの配向膜の位置を出射し偏光ビームスプリッタ１６２に入射する光束が、偏光ビームスプリッタ１６２内で、偏光分離面法線との間で形成する入射面に平行な方向である。
【００７２】
図２４は、配向膜４１０３ａ’および４１０３ｂ’に挟まれる液晶分子４１０４の分子方向を模式的に表した図であり、電圧を印加していない状態を示している。図２４において、（Ｌ）、（Ｃ）、（Ｒ）は、ほぼ図２３内に示すＬ、Ｃ、Ｒに相当する位置を示している。横方向の点線は、液晶層の厚さ方向（X方向）の目安位置を示す線である。液晶分子４１０４は配向膜４１０３ａ’、４１０３ｂ’の間でベンド配向しているが、その平均的方向がその位置における液晶の光軸方向である。この光軸方向は（Ｌ）、（Ｃ）、（Ｒ）の各場所により異なっており、図２３に示すラビング方向の変化によって、連続的に変化させている。
【００７３】
ベンド配向により、液晶に電圧を印加しない状態では、入射光束はλ／２の位相変調を受け電界ベクトル方向が回転した状態で出射する。λ／２の位相は液晶層厚、液晶材料の常光屈折率および異常光屈折率、入射角度に応じて設計することができる。電界ベクトル方向の回転角は、入射する電気ベクトル方向に対する前記光軸方向を、前記ラビング方向によって決定すればよい。これが（２）「電界ベクトルが偏向角に応じて変化する第二の偏光状態」である。偏向角に対して設定すべき電界ベクトル方向は図１７に示す計算結果と同じである。
【００７４】
図２５は、液晶素子に電圧を印加した状態の液晶分子方向を模式的に示した図である。この場合の液晶分子の方向は図１６の場合と同様であり、機能も同じであるため説明を省略する。
【００７５】
片側の配向膜を垂直配向膜で構成し、逆側の配向膜を面内の一定方向に配向処理した液晶素子の配向状態はいわゆるＯＣＢモードとして知られている（例えば特開平０８−３２８０４５号公報参照）。ＯＣＢモードは、液晶分子が弓なり状態に配向（ベンド配向）する点が一つの特徴である。ＯＣＢモードでは、通常のツイストネマティックモードと比較し高速動作が可能である。本発明の液晶素子はＯＣＢモードと異なり、面内の配向処理方向を場所によって変化させた構造をとっているが、ＯＣＢモードと同様、高速動作が可能である。
【００７６】
なお、上記実施例において、一例として、電圧印加タイミングが、走査位置により異なるように設定してもよい。図２０は、かかる設定で駆動するための透明電極構造を示している。図２０において、入射光側の透明電極は走査方向に５分割されている。符号４１０２ｂ１〜４１０２ｂ５は、分割された５つの透明電極を示している。図２１は、これら電極のオン、オフ動作のタイミングを示す。少なくとも光束が通過するタイミング、例えば、図２１中に丸で示す時点において、液晶分子は、所定の配向状態をとっている必要があるが、それ以外の期間はその必要がない。従って、光束が通過する時点以外の時間を使って液晶の配向状態を切り換えればよい。かかる構成にすることにより、液晶材料として例えば強誘電性液晶のような高速応答性を有する液晶を用いることなく、安価なネマティック液晶を用いることが可能となる。なお、上記分割電極に対向する電極４１０２ａは、常時共通電極として接地状態に保持されている。
【００７７】
また、上記実施例において、一例として、偏光ビームスプリッタと液晶素子を一体化してもよい。図２２にその構成例を示す。図２２における透明基板４１が、偏光ビームスプリッタ１６によって代用されている。これにより、光走査装置内への組み付け工程及び調整工程を簡略化することが可能となる。
【００７８】
上記実施例によって得ることができる効果を以下に列挙する。
偏向器から反射された直線偏光を各回の走査毎に偏光分離手段で分離することで、１つの回転多面鏡式光偏向器で異なる位置に２つ以上の光走査を行うことができ、小型化および低コスト化に有用である。
従来の偏光分離手段は、偏向角が大きい状態で光束が入射する位置ではＰ偏光の電界ベクトルが偏光分離面の透過軸と平行でなくなり、完全に透過することなく一部が反射されノイズ光となってしまう不具合があったが、本発明の上記実施例によれば、液晶素子よりなる偏光切り換え手段で補正することでノイズ光を低減できる。
１つの光源で２つの感光体に潜像を形成することができるため、光源を減らすことができる。
【００７９】
走査光全体にわたり偏光分離性能を改善することができる。
光束入射側での液晶配向方向を偏向面と垂直もしくは平行に設定することで、楕円偏光化することを防ぎながら効果的に旋光させることができる。
光束入射側での液晶配向方向を偏向面と垂直もしくは平行に設定することで、楕円偏光化することを防ぎながら効果的にλ／２の位相を形成し、電界ベクトル方向を所定方向に回転させることができる。
液晶応答時間を低く設定できるため、印加電圧を低減でき材料寿命を高めることができる。
【００８０】
偏光切り換え手段を設けない従来の光走査装置にあっては、ノイズ光が少ないことから誘電体多層膜偏向ビームスプリッタよりも、例えばワイヤグリッド偏向ビームスプリッタが好ましかった。しかし、ワイヤグリッド偏向ビームスプリッタは反射波面収差が大きく、被走査面上で結像性能を確保することは困難であった。本発明の実施例におけるような偏光切り換え手段を設けることで、誘電体多層膜偏向ビームスプリッタを用いても十分なノイズ抑制が可能となり、波面収差の改善を図ることができる。
【００８１】
複数の走査光の光路長を等しくすることで、同一の光走査レンズを用いることができ、光学系レイアウト設計が容易になり、部品コストを低減することもできる。また光走査装置から感光体までの距離を短縮できるため、光走査装置の小型化を図ることができる。
１つの光源および１つの偏向器を用いて複数の感光体に画像を書き込むことができ、光走査装置、画像形成装置などの小型化、低コスト化を図ることができる。
【００８２】
液晶素子と偏光ビームスプリッタを一体化構造にしたものによれば、界面数を減らすことができるため、波面収差を低減できる。部品共用化でコストダウンを図ることができる。光走査装置に組み込むときの位置合せが容易になる。
【実施例２】
【００８３】
図１１は、本発明に係る光走査装置の第２の実施例を示す。図１１において、ｆθレンズはポリゴンミラー１４を挟んで両側にそれぞれ２つずつ重ねて配置されている。ポリゴンミラー１４と片側のｆθレンズ１５ａ，１５ｂとの間およびポリゴンミラー１４と反対側のｆθレンズ１５ｃ，１５ｄとの間に、液晶素子４１１，４１２および偏光ビームスプリッタ１７１，１７２が配置されている。したがって、この実施例では、光束ＬＢａ用のｆθレンズ１５ａと、光束ＬＢｂ用のｆθレンズ１５ｂと、光束ＬＢｃ用のｆθレンズ１５ｃと、光束ＬＢｄ用のｆθレンズ１５ｄが必要となる。この実施例によれば、各ｆθレンズの形状を、光束の偏光状態、光路長、結像位置、走査長に適したレンズ形状とすることができる。
【００８４】
ここまで説明してきた画像形成装置の実施例は、４つの感光体ドラムを有するカラープリンタ２０００となっていたが、これに限定されるものではない。例えば、２つの感光体ドラムを有するプリンタであってもよい。この場合には、１つの光源ユニットが用いられることとなる。
【実施例３】
【００８５】
図１２には、実施例３に係るレーザ描画装置３０００の概略構成が示されている。このレーザ描画装置３０００は、上記光走査装置２０１０、描画対象物３１００が載置されるテーブルを有し、このテーブルをＸＹ平面内で移動させることができるテーブル装置３０１０、上位装置（例えば、パソコン）からの画像情報に基づいて、光走査装置２０１０及びテーブル装置３０１０を制御する描画制御装置３０２０などを備えている。光走査装置２０１０は、画像信号で変調されたレーザ光束を描画対象物３１００の面上で走査する。この走査を行いながらテーブル装置３０１０で描画対象物３１００をＸＹ平面内で移動させることにより、描画対象物３１００の面に画像を書き込むことができる。書き込まれた画像を顕像化するか否かは任意であり、顕像化する場合、その手段は任意である。
【００８６】
このように、上記実施例に係るレーザ描画装置は、本発明にかかる光走査装置を備えていて、その光走査によって描画するため、結果として、本発明にかかる光走査装置によって得られる効果を得ることができる。すなわち、高コストになることを回避しながら、小型で、高品質の画像を描画することが可能なレーザ描画装置を得ることができる。
【００８７】
また、本発明にかかる光走査装置は複数の光束で同時に走査することができるため、複数の光束を用いて、高速度で描画することができる。
【産業上の利用可能性】
【００８８】
以上説明したように、本発明の光走査装置によれば、高コストになることを回避しながら、小型で、ゴースト光の発生を安定して抑制することにより、高精度の光走査を行うことができる。
また、本発明の画像形成装置によれば、本発明にかかる光走査装置を備えていて、その光走査によって画像を形成するため、高コストになることを回避しながら、小型で、高品質の画像を形成することができる。
本発明のレーザ描画装置によれば、本発明にかかる光走査装置を備えていて、その光走査によって描画するため、高コストになることを回避しながら、小型で、高品質の画像を描画することができる。
【図面の簡単な説明】
【００８９】
【図１】本発明に係る画像形成装置の例であるカラープリンタの概略構成を示す正面図である。
【図２】本発明に係る光走査装置の実施例を示す平面図である。
【図３】上記光走査装置の正面図である。
【図４】上記光走査装置中の一つの光源ユニットを示す平面図である。
【図５】上記光走査装置中の別の光源ユニットを示す平面図である。
【図６】上記光走査装置に用いられている液晶素子、偏光ビームスプリッタ及び反射ミラーを示す正面図である。
【図７】上記光走査装置に用いられている別の液晶素子、偏光ビームスプリッタ及び反射ミラーを示す正面図である。
【図８】上記光走査装置に用いられている偏光ビームスプリッタとこの偏光ビームスプリッタへの光束入射を示す斜視図である。
【図９】偏向面に垂直な電界ベクトルを有する偏光を偏光ビームスプリッタに入射させた場合の偏向角と変更回転角との関係を示すグラフである。
【図１０】上記偏光を偏光ビームスプリッタに入射させた場合の偏向角と反射光の光強度との関係を示すグラフである。
【図１１】本発明に係る光走査装置の別の実施例を示す平面図である。
【図１２】本発明に係るレーザ描画装置の実施例を概略的に示す正面図である。
【図１３】本発明に適用可能な液晶素子の例を示す模式図である。
【図１４】本発明に用いられる液晶素子の配向膜のラビング方向の例を示す模式図である。
【図１５】本発明に用いられる液晶素子の一例における液晶分子状態の一例を示す模式図である。
【図１６】上記液晶素子の一例における液晶分子状態の別の例を示す模式図である。
【図１７】液晶素子の偏向角に対して設定すべき電界ベクトル方向を計算した例を示すグラフである。
【図１８】本発明適用可能な液晶素子の透明電極の概略構成と液晶駆動用ドライバの例を示す模式図である。
【図１９】上記液晶素子の透明電極のオン、オフ動作の時間変化を示すタイミングチャートである。
【図２０】本発明適用可能な液晶素子の透明電極の概略構成と液晶駆動用ドライバの別の例を示す模式図である。
【図２１】上記液晶素子の透明電極のオン、オフ動作の時間変化を示すタイミングチャートである。
【図２２】本発明に適用することができる液晶素子と偏光ビームスプリッタの一体化構造の例を示す摸式図である。
【図２３】本発明に用いられる液晶素子の配向膜のラビング方向の別の例を示す模式図である。
【図２４】本発明に用いられる液晶素子の別の例における液晶分子状態の一例を示す模式図である。
【図２５】上記液晶素子の別の例における液晶分子状態の別の例を示す模式図である。
【符号の説明】
【００９０】
１０ａ〜１０ｄ    光源
１４    ポリゴンミラー（光偏向器）
１５１，１５２    ｆθレンズ（走査光学系の一部）
１６１，１６２    偏光ビームスプリッタ（偏光分離素子）
１７１，１７２    反射ミラー
１９ａ〜１９ｄ    アナモフィックレンズ（走査光学系の一部）
２０００    カラープリンタ（画像形成装置）
２０３０ａ〜２０３０ｄ    感光体ドラム
２０１０    光走査装置
３０００    レーザ描画装置
３０１０    テーブル装置
３０２０    描画制御装置
ＬＵ１    光源ユニット
ＬＵ２    光源ユニット
４１    液晶素子
４１０１ａ，４１０１ｂ    透明基板
４１０２ａ，４１０２ｂ    透明電極
４１０３ａ，４１０３ｂ    配向膜
４１０４    液晶分子
４１０５    液晶素子駆動用ドライバ
【図１】
2010134358.tif 000004
【図２】
2010134358.tif 000005
【図３】
2010134358.tif 000006
【図４】
2010134358.tif 000007
【図５】
2010134358.tif 000008
【図６】
2010134358.tif 000009
【図７】
2010134358.tif 000010
【図８】
2010134358.tif 000011
【図９】
2010134358.tif 000012
【図１０】
2010134358.tif 000013
【図１１】
2010134358.tif 000014
【図１２】
2010134358.tif 000015
【図１３】
2010134358.tif 000016
【図１４】
2010134358.tif 000017
【図１５】
2010134358.tif 000018
【図１６】
2010134358.tif 000019
【図１７】
2010134358.tif 000020
【図１８】
2010134358.tif 000021
【図１９】
2010134358.tif 000022
【図２０】
2010134358.tif 000023
【図２１】
2010134358.tif 000024
【図２２】
2010134358.tif 000025
【図２３】
2010134358.tif 000026
【図２４】
2010134358.tif 000027
【図２５】
2010134358.tif 000028